(57)【要約】      （修正有）【課題】箱本体とホルダーを一体型でワンタッチで組み立て可能な構造とし、緩衝効果をさらに高めることができる緩衝機能付き包装用箱を提供する。【解決手段】この包装用箱Ｂ１は、天面に蓋で開閉される開口を有し、複数のボトルを収容する箱本体ｂ１と、箱本体ｂ１内に一体に形成され、各ボトルの周囲を保持するための仕切り２６１−２６４を有するホルダーｈ１とを備え、各部の図示の構成により、箱本体ｂ１とホルダーｈ１が一体型でワンタッチで組み立て可能に構成され、さらに、箱本体ｂ１の底面を２重構造とし、箱本体ｂ１内部の各仕切り２６１−２６４を底面まで延ばす。【選択図】図２
0003206282.tif 000002
【実用新案登録請求の範囲】
【請求項１】
天面に蓋で開閉される開口を有し、ガラス製のビンやボトルを含むガラス製の容器を収容する箱本体と、箱本体内に一体に形成され、各容器の周囲を保持するための仕切りを有するホルダーとを備え、容器を箱本体内でホルダーの仕切りにより保持して収容する緩衝機能付き包装用箱において、
（イ）箱本体（ｂ１）は、展開した状態において、
組み立て時に箱本体（ｂ１）の正面をなす正面板部（１１）と、
正面板部（１１）の左右側部に連続して設けられ、組み立て時に箱本体（ｂ１）の左右側面をなす一対の左右側面板部（１２、１３）と、
左側面板部（１２）の左側部に連続して設けられ、組み立て時に箱本体（ｂ１）の背面をなす背面板部（１４）と、
背面板部（１４）の左側部に設けられ、組み立て時に右側面板部（１３）の裏面に固定される接着部（１４１）と、
背面板部（１４）の上側部に連続して設けられ、組み立て時に箱本体（ｂ１）の天面を開閉する蓋をなす蓋板部（１５）と、
正面板部（１１）の下側部に連続して設けられ、組み立て時に箱本体（ｂ１）の底面の略全面を封じる蓋をなす底面略全面蓋板部（１６）、及び底面略全面蓋板部（１６）の下側部に連続して設けられ、組み立て時に底面略全面蓋板部（１６）の裏側に重ねられて底面の略全面を封じる裏蓋をなす底面略全面裏蓋板部（１７）と、
背面板部（１４）の下側部に連続して設けられ、組み立て時に箱本体（ｂ１）の底面の略半面を封じる蓋をなす底面略半面蓋板部（１８）と、
左側面板部（１２）の上側部に連続して設けられ、組み立て時に箱本体（ｂ１）の左側上フラップをなす左側上フラップ板部（１９）と、
右側面板部（１３）の上側部に連続して設けられ、組み立て時に箱本体（ｂ１）の右側上フラップをなす右側上フラップ板部（２０）と、
左側面板部（１２）の下側部に連続して設けられ、組み立て時に箱本体（ｂ１）の左側下フラップをなす左側下フラップ板部（２１）と、
右側面板部（１３）の下側部に連続して設けられ、組み立て時に箱本体（ｂ１）の右側下フラップをなす右側下フラップ板部（２２）と、
左側下フラップ板部（２１）に設けられ、組み立て時に当該左側下フラップ板部（２１）及び底面略半面蓋板部（１８）を連結するための左側連結タブ（２３）と、
右側下フラップ板部（２２）に設けられ、組み立て時に当該右側下フラップ板部（２２）及び底面略全面蓋板部（１６）を連結するための右側連結タブ（２４）と、
を備え、
背面板部（１４）の左側部に設けられた接着部（１４１）が右側面板部（１３）の裏面に接着剤を介して結合され、底面略半面蓋板部（１８）と左側下フラップ部（２１）の左側連結タブ（２３）が接着剤を介して結合されるとともに、底面略全面蓋板部（１６）と右側下フラップ板部（２２）の右側連結タブ（２４）が接着剤を介して結合されて、
底面略全面裏蓋板部（１７）が底面略全面蓋板部（１６）の裏側に折り畳まれて、底面略全面蓋板部（１６）は底面略全面裏蓋板部（１７）とともに正面板部（１１）の裏側に重なるように折り曲げられるとともに、右側下フラップ板部（２２）は右側面板部（１３）の裏側に重なるように折り曲げられ、かつ右側面板部（１３）は折り曲げられた底面略全面蓋部（１６）に重なるように折り曲げられ、底面略半面蓋板部（１７）は背面板部（１４）の裏側に重なるように折り曲げられるとともに、左側下フラップ板部（２１）は左側面板部（１２）の裏側に重なるように折り曲げられ、かつ左側面板部（１２）が折り曲げられた底面略半面蓋部（１８）に重なるように折り曲げられて、
箱本体（ｂ１）は折り畳み構造体となし、
（ロ）ホルダー（ｈ１）は、展開した状態において、
底面略全面裏蓋板部（１７）の下側部（１７１）に連続して設けられ、
当該下側部（１７１）に正面板（１１）の右端部又は左端部に対応する位置から収容する容器の保持に必要な所定の間隔で複数の基準点（Ｍ１）を設定され、各基準点（Ｍ１）から当該下側部（１７１）に対して下方直角に延びる複数の縦方向折れ線（Ｌ１６１−Ｌ１６４）を有し、
各縦方向折れ線（Ｌ１６１−Ｌ１６４）の右側に、当該下側部（１７１）に横方向折れ線（Ｌ１７１−Ｌ１７４）を介して連続して形成され、組み立て時に正面板部（１１）の裏面下部側に接着される複数の下部支持板部（２５１−２５４）と、
各縦方向折れ線（Ｌ１６１−Ｌ１６４）の左側に、当該下側部（１７１）から当該下側部（１７１）上の切り込み線（Ｃ１−Ｃ４）により切り離されて左下斜めに延び、少なくとも上部を略四角形に形成されてその右上角から左下角に向けた一方の対角線上に折れ線（Ｌ１８１−Ｌ１８４）を付けられて対角線の上半部を傾動部（２７１−２７４）とし、組み立て時に背面板部（１４）の裏面上部側から正面板部（１１）の裏面下部側に斜めに架け渡される仕切りをなす複数の仕切り板部（２６１−２６４）と、
各仕切り板部（２６１−２６４）の左下端部の左側に折れ線（Ｌ１９１−Ｌ１９４）を介して形成されたつなぎ部（２８１−２８４）により接続され、各仕切り板部（２６２−２６４）の下部に各仕切り板部（２６２−２６４）の下部から切り込み線（Ｃ５−Ｃ７）により切り離されて形成され、組み立て時に背面板部（１４）の裏面上部側に接着される上部支持板部（２９）と、
を備え、
ホルダー（ｈ１）は下部支持板部（２５１−２５４）が箱本体（ｂ１）の正面板部（１１）の裏面下部に接着剤を介して接着され、上部支持板部（２９）が箱本体（ｂ１）の背面板部（１４）の裏面上部に接着剤を介して接着され、ホルダー（ｈ１）は全体が平面的に折り畳まれて箱本体（ｂ１）の正面板部（１１）と折り曲げられた底面略全面裏蓋板（１７）との間に重ねられて、
ホルダー（ｈ１）は折り畳み構造体となし、
（ハ）箱本体（ｂ１）及びホルダー（ｈ１）の折り畳み構造体を左右側方から横方向中心へ向けて押圧するワンタッチ操作で、箱本体（ｂ１）がホルダー（ｈ１）の各仕切り板部（２６１−２６４）の傾動部（２７１−２７４）により各仕切り板部（２６１−２６４）が底面略全面蓋板部（１６）及び底面略全面裏蓋板部（１７）の引き起こしに干渉することなしに箱形に組み立てられ、箱本体（ｂ１）の内部で正面板部（１１）と背面板部（１４）との間に各仕切り板部（２６１−２６４）が垂直に引き起こされて、箱本体（ｂ１）内部に複数の容器収容部が区画形成され、
箱本体（ｂ１）の底面を２重構造とし、
ホルダー（ｈ１）の各仕切り板部（２６１−２６４）は下部を略四角形にして箱本体（ｂ１）の底面まで延ばされる、
ことを特徴とする緩衝機能付き包装用箱。
【請求項２】
天面に蓋で開閉される開口を有し、ガラス製のビンやボトルを含むガラス製の容器を収容する箱本体（ｂ２）と、箱本体（ｂ２）内に一体に形成され、各容器の周囲を保持するための仕切りを有するホルダー（ｈ２）とを備え、容器を箱本体（ｂ２）内でホルダー（ｈ２）の仕切りにより保持して収容する緩衝機能付き包装用箱において、
（イ）箱本体（ｂ２）は、展開した状態において、
組み立て時の箱本体（ｂ２）の正面をなす正面板部（３１）と、
正面板部（３１）の左右側部に連続して設けられ、組み立て時に箱本体（ｂ２）の左右側面をなす一対の左右側面板部（３２、３３）と、
左側面板部（３２）の左側部に連続して設けられ、組み立て時に箱本体（ｂ２）の背面をなす背面板部（３４）と、
背面板部（３４）の左側部に設けられ、組み立て時に右側面板部（３３）の裏面に固定される接着部（３４１）と、
背面板部（３４）の上側部に連続して設けられ、組み立て時に箱本体（ｂ２）の天面を開閉する蓋をなす蓋板部（３５）と、
正面板部（３１）の下側部に連続して設けられ、組み立て時に箱本体（ｂ２）の底面の略右側半面の略前側半部を封じる右側半部（３６Ｒ）、略左側半面の全部を封じる左側半部（３６Ｌ）からなり、左側半部（３６Ｌ）と右側半部（３６Ｒ）との間に係止段部３６Ａを有する蓋をなす底面前側蓋板部（３６）、及び底面前側蓋板部（３６）の左側半部（３６Ｌ）の下側部に連続して底面前側蓋板部（３６）の左側半部（３６Ｌ）と略対称的に設けられ、組み立て時に底面前側蓋板部（３６）の左側半部（３６Ｌ）の裏側に重ねられて箱本体（ｂ２）の底面の略左側半面の全部を封じる裏蓋をなす底面前側裏蓋板部（３７）と、
背面板部（３４）の下側部に連続して設けられ、組み立て時に箱本体（ｂ２）の底面の略右側半面の全部を封じる左側半部（３８Ｌ）、略左側半面の略後側半部を封じる右側半部（３８Ｒ）からなり、左側半部（３８Ｌ）と右側半部（３８Ｒ）との間に係止段部（１８Ａ）を有する蓋をなす底面後側蓋板部（３８）、及び底面後側蓋板部（３８）の左側半部（３８Ｌ）の下側部に連続して底面後側蓋板部（３８）の左側半部（３８Ｌ）と略対称的に設けられ、組み立て時に底面後側蓋板部（３８）の左側半部（３８Ｌ）の裏側に重ねられて箱本体（ｂ２）の底面の略右側半面の全部を封じる裏蓋をなす底面後側裏蓋板部（３８Ｓ）と、
左側面板部（３２）の上側部に連続して設けられ、組み立て時に箱本体（ｂ２）の左側上フラップをなす左側上フラップ板部（３９）と、
右側面板部（３３）の上側部に連続して設けられ、組み立て時に箱本体（ｂ２）の右側上フラップをなす右側上フラップ板部（４０）と、
左側面板部（３２）の下側部に連続して設けられ、組み立て時に箱本体（ｂ２）の左側下フラップをなす左側下フラップ板部（４１）と、
右側面板部（３３）の下側部に連続して設けられ、組み立て時に箱本体（ｂ２）の右側下フラップをなす右側下フラップ板部（４２）と、
底面前側蓋板部（３６）の右側半部（３６Ｒ）の右端に設けられ、組み立て時に底面前側蓋板部（３６）及び右側下フラップ板部（４２）を連結する右側連結タブ（４３）と、
底面後側蓋板部（３８）の右側半部（３８Ｒ）の右端に設けられ、組み立て時に底面後側蓋板部（３８）及び左側下フラップ板部（４１）を連結する右側連結タブ（４４）と、
を備え、
背面板部（３４）の左側部に設けられた接着部（３４１）が右側面板部（３３）の裏面に重ねられて接着剤を介して結合され、底面前側蓋板部（３６）の右側連結タブ（４３）が右側下フラップ板部（４２）の表面に重ねられて接着剤を介して結合されるとともに、底面後側蓋板部（３８）の右側連結タブ（４４）が左側下フラップ板部（４１）の表面に重ねられて接着剤を介して結合され、
底面前側裏蓋板部（３７）が底面前側蓋板部（３６）の裏側に折り畳まれて、底面前側蓋板部（３６）は底面前側裏蓋板部（３７）とともに正面板部（３１）の裏側に重なるように折り曲げられるとともに、右側下フラップ板部（４２）は右側面板部（３３）の裏側に重なるように折り曲げられ、かつ右側面板部（３３）は折り曲げられた底面前側蓋板部（３６）に重なるように折り曲げられ、底面後側裏蓋板部（３８Ｓ）が底面後側蓋板部（３８）の裏側に折り畳まれて、底面後側蓋板部（３８）は底面後側裏蓋板部（３８Ｓ）とともに背面板部（３４）の裏側に重なるように折り曲げられるとともに、左側下フラップ板部（４１）は左側面板部（３２）の裏側に重なるように折り曲げられ、かつ左側面板部（３２）は折り曲げられた底面後側蓋板部（３８）に重なるように折り曲げられて、
箱本体（ｂ２）は折り畳み構造体となし、
（ロ）ホルダー（ｈ２）は、左側のホルダー（ｈ２−１）と右側のホルダー（ｈ２−２）とからなり、
左側のホルダー（ｈ２−１）は、展開した状態において、
底面前側裏蓋板部（３７）の下側部（３７１）に連続して設けられ、
当該下側部（３７１）に正面板部（３１）の左端部に対応する位置から収容する容器の保持に必要な所定の間隔で複数の基準点（Ｍ２）を設定され、各基準点（Ｍ２）から当該下側部（３７１）に対して下方直角に延びる複数の縦方向折れ線（Ｌ３７１、Ｌ３７２）を有し、
各縦方向折れ線（Ｌ３７１、Ｌ３７２）の右側に、当該下側部（３７１）に対して横方向折れ線（Ｌ３８１、Ｌ３８２）を介して連続して形成され、組み立て時に正面板部（３１）の裏面左側の下部側に接着される複数又は１つの下部支持板部（５１２）と、
各縦方向折れ線（Ｌ３７１、Ｌ３７２）の左側に、当該下側部（３７１）から当該下側部（３７１）上の切り込み線（Ｃ１１、Ｃ１２）により切り離されて左下斜めに延び、少なくとも上部を略四角形に形成されてその右上角から左下角に向けた一方の対角線上に折れ線（Ｌ３９１、Ｌ３９２）を付けられて対角線の上半部を傾動部（５１３、５１４）とし、組み立て時に背面板部（３４）の裏面左側の上部側から正面板部（３１）の裏面左側の下部側に斜めに架け渡される仕切りをなす複数の仕切り板部（５１５、５１６）と、
各仕切り板部（５１５、５１６）の左下端部の左側に折れ線（Ｌ４０１、Ｌ４０２）を介して形成されたつなぎ部（５１７、５１８）により接続され、仕切り板部（５１６）の下部に仕切り板部（５１６）の下部から切り込み線（Ｃ１３）により切り離されて形成され、組み立て時に背面板部（３４）の裏面左側の上部側に接着される上部支持板部（５１９）と、
を備え、
右側のホルダー（ｈ２−２）は、展開した状態において、
底面後側蓋板部（３８Ｓ）の下側部（３８Ｓ１）に連続して設けられ、
当該下側部（３８Ｓ１）に背面板部（３４）の左端部に対応する位置から収容する容器の保持に必要な所定の間隔で複数の基準点（Ｍ２）を設定され、各基準点（Ｍ２）から当該下側部（３８Ｓ１）に対して下方直角に延びる複数の縦方向折れ線（Ｌ４１１、Ｌ４１２）を有し、
各縦方向折れ線（Ｌ４１１、Ｌ４１２）の右側に、当該下側部（３８Ｓ１）に対して横方向折れ線（Ｌ４２１、Ｌ４２２）を介して連続して形成され、組み立て時に背面板部（３４）の裏面右側の下部側に接着される複数又は１つの下部支持板（５２２）と、
各縦方向折れ線（Ｌ４１１、Ｌ４１２）の左側に、当該下側部（３８Ｓ１）から当該下側部（３８Ｓ１）上の切り込み線（Ｃ１４、Ｃ１５）により切り離されて左下斜めに延び、少なくとも上部を略四角形に形成されてその右上角から左下角に向けた一方の対角線上に折れ線（Ｌ４３１、Ｌ４３２）を付けられて対角線の上半部を傾動部（５２３、５２４）とし、組み立て時に正面板部（３１）の裏面右側の上部側から背面板部（３４）の裏面右側の下部側に斜めに架け渡される仕切りとなす複数の仕切り板部（５２５、５２６）と、
各仕切り板部（５２５、５２６）の左下端部の左側に折れ線（Ｌ４４１、Ｌ４４２）を介して形成されたつなぎ部（５２７、５２８）により接続され、仕切り板部（５２６）の下部に仕切り板部（５２６）の下部から切り込み線（Ｃ１６）により切り離されて形成され、組み立て時に正面板部（３１）の裏面右側の上部側に接着される上部支持板部（５２９）と、
を備え、
ホルダー（ｈ２）は、左側のホルダー（ｈ２−１）側の下部支持板部（５１２）が組み立て時の箱本体（ｂ２）の正面板部（３１）の裏面左側の下部側に接着剤を介して接着されるとともに、上部支持板部（５１９）が組み立て時の箱本体（ｂ２）の背面板部（３４）の裏面左側の上部側に接着剤を介して接着され、右側のホルダー（ｈ２−２）側の下部支持板部（５２２）が組み立て時の箱本体（ｂ２）の背面板部（３４）の裏面右側の下部側に接着剤を介して接着されるとともに、上部支持板部（５２９）が組み立て時の箱本体（ｂ２）の正面板部（３１）の裏面右側の上部側に接着剤を介して接着され、
ホルダー（ｈ２）は全体が平面的に折り畳まれて、底面前側裏蓋板部（３７）側の各下部支持板部（５１１、５１２）、各仕切り板部（５１５、５１６）、上部支持板部（５１９）が箱本体（ｂ２）の正面板部（３１）と折り曲げられた底面前側裏蓋板部（３７）との間に重ねられ、底面後側裏蓋板部（３８Ｓ）側の各下部支持板部（５２１、５２２）、各仕切り板部（５２５、５２６）、上部支持板部（５２９）が箱本体（ｂ２）の背面板部（３４）と折り曲げられた底面後側裏蓋板部（３８Ｓ）との間に重ねられて、
ホルダー（ｈ２）は折り畳み構造体となし、
（ハ）箱本体（ｂ２）及びホルダー（ｈ２）の折り畳み構造体を左右側方から横方向中心へ向けて押圧するワンタッチ操作で、箱本体（ｂ２）がホルダー（ｈ２）の各仕切り板部（５１５、５１６、５２５、５２６）の傾動部（５１３、５１４、５２３、５２４）により各仕切り板部（５１５、５１６、５２５、５２６）が底面前側蓋板部（３６）及び底面後側蓋板部（３８）の引き起こしに干渉することなしに箱形に組み立てられ、箱本体（ｂ２）の内部で正面板部（３１）と背面板部（３４）との間に各仕切り板部（５１５、５１６、５２５、５２６）が垂直に引き起こされて、箱本体（ｂ２）内部に複数の容器収容部が区画形成され、
箱本体（ｂ２）の底面を２重構造とし、
ホルダー（ｈ２）の各仕切り板部（５１５、５１６、５２５、５２６）は下部を略四角形にして箱本体（ｂ２）の底面まで延ばされる、
ことを特徴とする緩衝機能付き包装用箱。
【考案の詳細な説明】
【技術分野】
【０００１】
本考案は、緩衝機能付き包装用箱に関し、特に、薬剤を収納するバイアルその他のガラス製のボトルや液状の栄養補助食品、健康食品、美容食品などを収納するガラス製のビンなどの、ガラス製の容器を包装するのに使用する緩衝機能付き包装用箱に関する。
【背景技術】
【０００２】
一般に、液状の薬剤を収納するバイアルその他のガラス製のボトルや液状の栄養補助食品、健康食品、美容食品などを収納するガラス製のビンなどは製造元で複数本ずつ１つの包装用箱に包装され、これがさらに数個ずつ段ボール製の大きな箱に収容されて販売先などに供給される。
従来、このようなガラス製のボトルを包装するのに使用する包装用箱は、天面に蓋で開閉される開口を有し、複数本のボトルを単列又は複列に並べて収容可能な大きさの箱本体と、箱本体内に設置され、各ボトルを各別に保持するための複数の仕切りを形成されたホルダーとを備えて構成され、各ボトルが箱本体内でホルダーの各仕切りにより保持されて、各ボトル同士が接触しても破損しないように保護されている。
【０００３】
この種の包装用箱が特許文献１により提案されている。
この包装用箱は、商品を収容する箱体の内側の片側に、箱体側面内側に隣接して形成され、この側面に平行な仕切板により区切られるポケットと、仕切板と直角な複数の仕切片により区切られる商品収容空間とを備える。
この包装用箱では、箱体は、箱体を形成する互いに平行な２側面の間に、板状の仕切板が２側面と直角な一側面に平行に取り付けられ、この一側面の上端に隣接して形成されこの側面に重ねられる折返片が設けられ、この折返片の底面側の端部から仕切板との間に、複数の板状の仕切片が所定間隔で互いに対面して設けられ、箱体を形成する互いに平行な２側面の下端には底を形成する底蓋片が各々設けられ、この底蓋片の端縁部には、箱体の組み立て状態で底蓋片が互いに係合する切り欠き部が形成される。
また、この包装用箱では、仕切片の下端に箱体の底面方向へ延出し、商品間の緩衝部となる突出部が形成される。この突出部は、仕切片の下端から箱体の底面方向へ延出する略三角形で、この略三角形の基端付近に、仕切片の下端の延長線上に、切込み線が断続して設けられる。
このようにしてこの包装用箱は簡単な溝造でワンタッチで組み立てられ、取り扱い説明書等を収容するポケットと複数の商品を個別に区切る仕切りが形成され、商品を整頓した状態で保護し収容できるようになっている。また、仕切りには底方向に向かった突出部が形成されており、収容物の緩衝効果を高いものにしてある。
【先行技術文献】
【特許文献】
【０００４】
【特許文献１】特許第３８８１７２７号公報
【考案の概要】
【考案が解決しようとする課題】
【０００５】
しかしながら、上記従来の包装用箱では、箱本体それ自体が通常のワンタッチ組み立て構造で、底面の板紙が１枚になっている点、また、仕切りに底方向に向けて突出部が形成されて収容物の緩衝効果を高いものにしているものの、この突出部が底面まで達していない点で、緩衝効果をさらに高める余地が残されている。
【０００６】
本考案は、このような従来の問題を解決するもので、この種の緩衝機能付き包装用箱において、箱本体とホルダーが一体型でワンタッチで組み立て可能な構造とすることは勿論のこと、箱全体の緩衝効果をさらに高め、品質の向上を図ること、を目的とする。
【課題を解決するための手段】
【０００７】
上記目的を達成するために、本考案（Ｂ１）は、
天面に蓋で開閉される開口を有し、ガラス製のビンやボトルを含むガラス製の容器を収容する箱本体と、箱本体内に一体に形成され、各容器の周囲を保持するための仕切りを有するホルダーとを備え、容器を箱本体内でホルダーの仕切りにより保持して収容する緩衝機能付き包装用箱において、
（イ）箱本体（ｂ１）は、展開した状態において、
組み立て時に箱本体（ｂ１）の正面をなす正面板部（１１）と、
正面板部（１１）の左右側部に連続して設けられ、組み立て時に箱本体（ｂ１）の左右側面をなす一対の左右側面板部（１２、１３）と、
左側面板部（１２）の左側部に連続して設けられ、組み立て時に箱本体（ｂ１）の背面をなす背面板部（１４）と、
背面板部（１４）の左側部に設けられ、組み立て時に右側面板部（１３）の裏面に固定される接着部（１４１）と、
背面板部（１４）の上側部に連続して設けられ、組み立て時に箱本体（ｂ１）の天面を開閉する蓋をなす蓋板部（１５）と、
正面板部（１１）の下側部に連続して設けられ、組み立て時に箱本体（ｂ１）の底面の略全面を封じる蓋をなす底面略全面蓋板部（１６）、及び底面略全面蓋板部（１６）の下側部に連続して設けられ、組み立て時に底面略全面蓋板部（１６）の裏側に重ねられて底面の略全面を封じる裏蓋をなす底面略全面裏蓋板部（１７）と、
背面板部（１４）の下側部に連続して設けられ、組み立て時に箱本体（ｂ１）の底面の略半面を封じる蓋をなす底面略半面蓋板部（１８）と、
左側面板部（１２）の上側部に連続して設けられ、組み立て時に箱本体（ｂ１）の左側上フラップをなす左側上フラップ板部（１９）と、
右側面板部（１３）の上側部に連続して設けられ、組み立て時に箱本体（ｂ１）の右側上フラップをなす右側上フラップ板部（２０）と、
左側面板部（１２）の下側部に連続して設けられ、組み立て時に箱本体（ｂ１）の左側下フラップをなす左側下フラップ板部（２１）と、
右側面板部（１３）の下側部に連続して設けられ、組み立て時に箱本体（ｂ１）の右側下フラップをなす右側下フラップ板部（２２）と、
左側下フラップ板部（２１）に設けられ、組み立て時に当該左側下フラップ板部（２１）及び底面略半面蓋板部（１８）を連結するための左側連結タブ（２３）と、
右側下フラップ板部（２２）に設けられ、組み立て時に当該右側下フラップ板部（２２）及び底面略全面蓋板部（１６）を連結するための右側連結タブ（２４）と、
を備え、
背面板部（１４）の左側部に設けられた接着部（１４１）が右側面板部（１３）の裏面に接着剤を介して結合され、底面略半面蓋板部（１８）と左側下フラップ部（２１）の左側連結タブ（２３）が接着剤を介して結合されるとともに、底面略全面蓋板部（１６）と右側下フラップ板部（２２）の右側連結タブ（２４）が接着剤を介して結合されて、
底面略全面裏蓋板部（１７）が底面略全面蓋板部（１６）の裏側に折り畳まれて、底面略全面蓋板部（１６）は底面略全面裏蓋板部（１７）とともに正面板部（１１）の裏側に重なるように折り曲げられるとともに、右側下フラップ板部（２２）は右側面板部（１３）の裏側に重なるように折り曲げられ、かつ右側面板部（１３）は折り曲げられた底面略全面蓋部（１６）に重なるように折り曲げられ、底面略半面蓋板部（１７）は背面板部（１４）の裏側に重なるように折り曲げられるとともに、左側下フラップ板部（２１）は左側面板部（１２）の裏側に重なるように折り曲げられ、かつ左側面板部（１２）が折り曲げられた底面略半面蓋部（１８）に重なるように折り曲げられて、
箱本体（ｂ１）は折り畳み構造体となし、
（ロ）ホルダー（ｈ１）は、展開した状態において、
底面略全面裏蓋板部（１７）の下側部（１７１）に連続して設けられ、
当該下側部（１７１）に正面板（１１）の右端部又は左端部に対応する位置から収容する容器の保持に必要な所定の間隔で複数の基準点（Ｍ１）を設定され、各基準点（Ｍ１）から当該下側部（１７１）に対して下方直角に延びる複数の縦方向折れ線（Ｌ１６１−Ｌ１６４）を有し、
各縦方向折れ線（Ｌ１６１−Ｌ１６４）の右側に、当該下側部（１７１）に横方向折れ線（Ｌ１７１−Ｌ１７４）を介して連続して形成され、組み立て時に正面板部（１１）の裏面下部側に接着される複数の下部支持板部（２５１−２５４）と、
各縦方向折れ線（Ｌ１６１−Ｌ１６４）の左側に、当該下側部（１７１）から当該下側部（１７１）上の切り込み線（Ｃ１−Ｃ４）により切り離されて左下斜めに延び、少なくとも上部を略四角形に形成されてその右上角から左下角に向けた一方の対角線上に折れ線（Ｌ１８１−Ｌ１８４）を付けられて対角線の上半部を傾動部（２７１−２７４）とし、組み立て時に背面板部（１４）の裏面上部側から正面板部（１１）の裏面下部側に斜めに架け渡される仕切りをなす複数の仕切り板部（２６１−２６４）と、
各仕切り板部（２６１−２６４）の左下端部の左側に折れ線（Ｌ１９１−Ｌ１９４）を介して形成されたつなぎ部（２８１−２８４）により接続され、各仕切り板部（２６２−２６４）の下部に各仕切り板部（２６２−２６４）の下部から切り込み線（Ｃ５−Ｃ７）により切り離されて形成され、組み立て時に背面板部（１４）の裏面上部側に接着される上部支持板部（２９）と、
を備え、
ホルダー（ｈ１）は下部支持板部（２５１−２５４）が箱本体（ｂ１）の正面板部（１１）の裏面下部に接着剤を介して接着され、上部支持板部（２９）が箱本体（ｂ１）の背面板部（１４）の裏面上部に接着剤を介して接着され、ホルダー（ｈ１）は全体が平面的に折り畳まれて箱本体（ｂ１）の正面板部（１１）と折り曲げられた底面略全面裏蓋板（１７）との間に重ねられて、
ホルダー（ｈ１）は折り畳み構造体となし、
（ハ）箱本体（ｂ１）及びホルダー（ｈ１）の折り畳み構造体を左右側方から横方向中心へ向けて押圧するワンタッチ操作で、箱本体（ｂ１）がホルダー（ｈ１）の各仕切り板部（２６１−２６４）の傾動部（２７１−２７４）により各仕切り板部（２６１−２６４）が底面略全面蓋板部（１６）及び底面略全面裏蓋板部（１７）の引き起こしに干渉することなしに箱形に組み立てられ、箱本体（ｂ１）の内部で正面板部（１１）と背面板部（１４）との間に各仕切り板部（２６１−２６４）が垂直に引き起こされて、箱本体（ｂ１）内部に複数の容器収容部が区画形成され、
箱本体（ｂ１）の底面を２重構造とし、
ホルダー（ｈ１）の各仕切り板部（２６１−２６４）は下部を略四角形にして箱本体（ｂ１）の底面まで延ばされる、
ことを要旨とする。
【０００８】
上記目的を達成するために、本考案（Ｂ２）は、
天面に蓋で開閉される開口を有し、ガラス製のビンやボトルを含むガラス製の容器を収容する箱本体（ｂ２）と、箱本体（ｂ２）内に一体に形成され、各容器の周囲を保持するための仕切りを有するホルダー（ｈ２）とを備え、容器を箱本体（ｂ２）内でホルダー（ｈ２）の仕切りにより保持して収容する緩衝機能付き包装用箱において、
（イ）箱本体（ｂ２）は、展開した状態において、
組み立て時の箱本体（ｂ２）の正面をなす正面板部（３１）と、
正面板部（３１）の左右側部に連続して設けられ、組み立て時に箱本体（ｂ２）の左右側面をなす一対の左右側面板部（３２、３３）と、
左側面板部（３２）の左側部に連続して設けられ、組み立て時に箱本体（ｂ２）の背面をなす背面板部（３４）と、
背面板部（３４）の左側部に設けられ、組み立て時に右側面板部（３３）の裏面に固定される接着部（３４１）と、
背面板部（３４）の上側部に連続して設けられ、組み立て時に箱本体（ｂ２）の天面を開閉する蓋をなす蓋板部（３５）と、
正面板部（３１）の下側部に連続して設けられ、組み立て時に箱本体（ｂ２）の底面の略右側半面の略前側半部を封じる右側半部（３６Ｒ）、略左側半面の全部を封じる左側半部（３６Ｌ）からなり、左側半部（３６Ｌ）と右側半部（３６Ｒ）との間に係止段部３６Ａを有する蓋をなす底面前側蓋板部（３６）、及び底面前側蓋板部（３６）の左側半部（３６Ｌ）の下側部に連続して底面前側蓋板部（３６）の左側半部（３６Ｌ）と略対称的に設けられ、組み立て時に底面前側蓋板部（３６）の左側半部（３６Ｌ）の裏側に重ねられて箱本体（ｂ２）の底面の略左側半面の全部を封じる裏蓋をなす底面前側裏蓋板部（３７）と、
背面板部（３４）の下側部に連続して設けられ、組み立て時に箱本体（ｂ２）の底面の略右側半面の全部を封じる左側半部（３８Ｌ）、略左側半面の略後側半部を封じる右側半部（３８Ｒ）からなり、左側半部（３８Ｌ）と右側半部（３８Ｒ）との間に係止段部（１８Ａ）を有する蓋をなす底面後側蓋板部（３８）、及び底面後側蓋板部（３８）の左側半部（３８Ｌ）の下側部に連続して底面後側蓋板部（３８）の左側半部（３８Ｌ）と略対称的に設けられ、組み立て時に底面後側蓋板部（３８）の左側半部（３８Ｌ）の裏側に重ねられて箱本体（ｂ２）の底面の略右側半面の全部を封じる裏蓋をなす底面後側裏蓋板部（３８Ｓ）と、
左側面板部（３２）の上側部に連続して設けられ、組み立て時に箱本体（ｂ２）の左側上フラップをなす左側上フラップ板部（３９）と、
右側面板部（３３）の上側部に連続して設けられ、組み立て時に箱本体（ｂ２）の右側上フラップをなす右側上フラップ板部（４０）と、
左側面板部（３２）の下側部に連続して設けられ、組み立て時に箱本体（ｂ２）の左側下フラップをなす左側下フラップ板部（４１）と、
右側面板部（３３）の下側部に連続して設けられ、組み立て時に箱本体（ｂ２）の右側下フラップをなす右側下フラップ板部（４２）と、
底面前側蓋板部（３６）の右側半部（３６Ｒ）の右端に設けられ、組み立て時に底面前側蓋板部（３６）及び右側下フラップ板部（４２）を連結する右側連結タブ（４３）と、
底面後側蓋板部（３８）の右側半部（３８Ｒ）の右端に設けられ、組み立て時に底面後側蓋板部（３８）及び左側下フラップ板部（４１）を連結する右側連結タブ（４４）と、
を備え、
背面板部（３４）の左側部に設けられた接着部（３４１）が右側面板部（３３）の裏面に重ねられて接着剤を介して結合され、底面前側蓋板部（３６）の右側連結タブ（４３）が右側下フラップ板部（４２）の表面に重ねられて接着剤を介して結合されるとともに、底面後側蓋板部（３８）の右側連結タブ（４４）が左側下フラップ板部（４１）の表面に重ねられて接着剤を介して結合され、
底面前側裏蓋板部（３７）が底面前側蓋板部（３６）の裏側に折り畳まれて、底面前側蓋板部（３６）は底面前側裏蓋板部（３７）とともに正面板部（３１）の裏側に重なるように折り曲げられるとともに、右側下フラップ板部（４２）は右側面板部（３３）の裏側に重なるように折り曲げられ、かつ右側面板部（３３）は折り曲げられた底面前側蓋板部（３６）に重なるように折り曲げられ、底面後側裏蓋板部（３８Ｓ）が底面後側蓋板部（３８）の裏側に折り畳まれて、底面後側蓋板部（３８）は底面後側裏蓋板部（３８Ｓ）とともに背面板部（３４）の裏側に重なるように折り曲げられるとともに、左側下フラップ板部（４１）は左側面板部（３２）の裏側に重なるように折り曲げられ、かつ左側面板部（３２）は折り曲げられた底面後側蓋板部（３８）に重なるように折り曲げられて、
箱本体（ｂ２）は折り畳み構造体となし、
（ロ）ホルダー（ｈ２）は、左側のホルダー（ｈ２−１）と右側のホルダー（ｈ２−２）とからなり、
左側のホルダー（ｈ２−１）は、展開した状態において、
底面前側裏蓋板部（３７）の下側部（３７１）に連続して設けられ、
当該下側部（３７１）に正面板部（３１）の左端部に対応する位置から収容する容器の保持に必要な所定の間隔で複数の基準点（Ｍ２）を設定され、各基準点（Ｍ２）から当該下側部（３７１）に対して下方直角に延びる複数の縦方向折れ線（Ｌ３７１、Ｌ３７２）を有し、
各縦方向折れ線（Ｌ３７１、Ｌ３７２）の右側に、当該下側部（３７１）に対して横方向折れ線（Ｌ３８１、Ｌ３８２）を介して連続して形成され、組み立て時に正面板部（３１）の裏面左側の下部側に接着される複数又は１つの下部支持板部（５１２）と、
各縦方向折れ線（Ｌ３７１、Ｌ３７２）の左側に、当該下側部（３７１）から当該下側部（３７１）上の切り込み線（Ｃ１１、Ｃ１２）により切り離されて左下斜めに延び、少なくとも上部を略四角形に形成されてその右上角から左下角に向けた一方の対角線上に折れ線（Ｌ３９１、Ｌ３９２）を付けられて対角線の上半部を傾動部（５１３、５１４）とし、組み立て時に背面板部（３４）の裏面左側の上部側から正面板部（３１）の裏面左側の下部側に斜めに架け渡される仕切りをなす複数の仕切り板部（５１５、５１６）と、
各仕切り板部（５１５、５１６）の左下端部の左側に折れ線（Ｌ４０１、Ｌ４０２）を介して形成されたつなぎ部（５１７、５１８）により接続され、仕切り板部（５１６）の下部に仕切り板部（５１６）の下部から切り込み線（Ｃ１３）により切り離されて形成され、組み立て時に背面板部（３４）の裏面左側の上部側に接着される上部支持板部（５１９）と、
を備え、
右側のホルダー（ｈ２−２）は、展開した状態において、
底面後側蓋板部（３８Ｓ）の下側部（３８Ｓ１）に連続して設けられ、
当該下側部（３８Ｓ１）に背面板部（３４）の左端部に対応する位置から収容する容器の保持に必要な所定の間隔で複数の基準点（Ｍ２）を設定され、各基準点（Ｍ２）から当該下側部（３８Ｓ１）に対して下方直角に延びる複数の縦方向折れ線（Ｌ４１１、Ｌ４１２）を有し、
各縦方向折れ線（Ｌ４１１、Ｌ４１２）の右側に、当該下側部（３８Ｓ１）に対して横方向折れ線（Ｌ４２１、Ｌ４２２）を介して連続して形成され、組み立て時に背面板部（３４）の裏面右側の下部側に接着される複数又は１つの下部支持板（５２２）と、
各縦方向折れ線（Ｌ４１１、Ｌ４１２）の左側に、当該下側部（３８Ｓ１）から当該下側部（３８Ｓ１）上の切り込み線（Ｃ１４、Ｃ１５）により切り離されて左下斜めに延び、少なくとも上部を略四角形に形成されてその右上角から左下角に向けた一方の対角線上に折れ線（Ｌ４３１、Ｌ４３２）を付けられて対角線の上半部を傾動部（５２３、５２４）とし、組み立て時に正面板部（３１）の裏面右側の上部側から背面板部（３４）の裏面右側の下部側に斜めに架け渡される仕切りとなす複数の仕切り板部（５２５、５２６）と、
各仕切り板部（５２５、５２６）の左下端部の左側に折れ線（Ｌ４４１、Ｌ４４２）を介して形成されたつなぎ部（５２７、５２８）により接続され、仕切り板部（５２６）の下部に仕切り板部（５２６）の下部から切り込み線（Ｃ１６）により切り離されて形成され、組み立て時に正面板部（３１）の裏面右側の上部側に接着される上部支持板部（５２９）と、
を備え、
ホルダー（ｈ２）は、左側のホルダー（ｈ２−１）側の下部支持板部（５１２）が組み立て時の箱本体（ｂ２）の正面板部（３１）の裏面左側の下部側に接着剤を介して接着されるとともに、上部支持板部（５１９）が組み立て時の箱本体（ｂ２）の背面板部（３４）の裏面左側の上部側に接着剤を介して接着され、右側のホルダー（ｈ２−２）側の下部支持板部（５２２）が組み立て時の箱本体（ｂ２）の背面板部（３４）の裏面右側の下部側に接着剤を介して接着されるとともに、上部支持板部（５２９）が組み立て時の箱本体（ｂ２）の正面板部（３１）の裏面右側の上部側に接着剤を介して接着され、
ホルダー（ｈ２）は全体が平面的に折り畳まれて、底面前側裏蓋板部（３７）側の各下部支持板部（５１１、５１２）、各仕切り板部（５１５、５１６）、上部支持板部（５１９）が箱本体（ｂ２）の正面板部（３１）と折り曲げられた底面前側裏蓋板部（３７）との間に重ねられ、底面後側裏蓋板部（３８Ｓ）側の各下部支持板部（５２１、５２２）、各仕切り板部（５２５、５２６）、上部支持板部（５２９）が箱本体（ｂ２）の背面板部（３４）と折り曲げられた底面後側裏蓋板部（３８Ｓ）との間に重ねられて、
ホルダー（ｈ２）は折り畳み構造体となし、
（ハ）箱本体（ｂ２）及びホルダー（ｈ２）の折り畳み構造体を左右側方から横方向中心へ向けて押圧するワンタッチ操作で、箱本体（ｂ２）がホルダー（ｈ２）の各仕切り板部（５１５、５１６、５２５、５２６）の傾動部（５１３、５１４、５２３、５２４）により各仕切り板部（５１５、５１６、５２５、５２６）が底面前側蓋板部（３６）及び底面後側蓋板部（３８）の引き起こしに干渉することなしに箱形に組み立てられ、箱本体（ｂ２）の内部で正面板部（３１）と背面板部（３４）との間に各仕切り板部（５１５、５１６、５２５、５２６）が垂直に引き起こされて、箱本体（ｂ２）内部に複数の容器収容部が区画形成され、
箱本体（ｂ２）の底面を２重構造とし、
ホルダー（ｈ２）の各仕切り板部（５１５、５１６、５２５、５２６）は下部を略四角形にして箱本体（ｂ２）の底面まで延ばされる、
ことを要旨とする。
【考案の効果】
【０００９】
本考案（Ｂ１）の緩衝機能付き包装用箱によれば、上記（イ）−（ハ）の構成により、箱本体（ｂ１）を折り畳み構造体とし、ホルダー（ｈ１）を折り畳み構造体とし、箱本体（ｂ１）及びホルダー（ｈ１）の折り畳み構造体を左右側方から横方向中心へ向けて押圧するワンタッチ操作で、箱本体（ｂ１）が、ホルダー（ｈ１）の各仕切り板部（２６１−２６４）の傾動部（２７１−２７４）により各仕切り板部（２６１−２６４）が底面略全面蓋板部（１６）及び底面略半面蓋板部（１８）の引き起こしに干渉することなしに、箱形に組み立てられるとともに、箱本体（ｂ１）内部の正面板部（１１）と背面板部（１４）との間に各仕切り板部（２６１−２６４）が垂直に引き起こされて、箱本体（ｂ１）内部に複数の容器収容部が区画形成されるので、箱本体（ｂ１）とホルダー（ｈ１）を一体型でワンタッチで組み立て可能な構造とすることができ、また、箱本体（ｂ１）の底面を２重構造とし、各仕切り板部（２６１−２６４）の下部は略四角形で箱本体（ｂ１）の底面まで延ばされるので、箱全体の緩衝効果をさらに高め、品質の向上を図ることができる、という本考案独自の格別な効果を奏する。
【００１０】
本考案（Ｂ２）の緩衝機能付き包装用箱によれば、上記（イ）−（ハ）の構成により、箱本体（ｂ２）を折り畳み構造体とし、ホルダー（ｈ２）を折り畳み構造体とし、箱本体（ｂ２）及びホルダー（ｈ２）の折り畳み構造体を左右側方から横方向中心へ向けて押圧するワンタッチ操作で、箱本体（ｂ２）が、ホルダー（ｈ２）の各仕切り板部（５１５、５１６、５２５、５２６）の傾動部（５１３、５１４、５２３、５２４）により各仕切り板部（５１５、５１６、５２５、５２６）が底面前側蓋板部（３６）及び底面後側蓋板部（３８）の引き起こしに干渉することなしに、箱形に組み立てられるとともに、箱本体（ｂ２）内部の正面板部（３１）と背面板部（３４）との間に各仕切り板部（５１５、５１６、５２５、５２６）が垂直に引き起こされて、箱本体（ｂ２）内部に複数の容器収容部が区画形成されるので、箱本体（ｂ２）とホルダー（ｈ２）を一体型でワンタッチで組み立て可能な構造とすることができ、また、箱本体（ｂ２）の底面を２重構造とし、各仕切り板部（５１５、５１６、５２５、５２６）の下部は略四角形で箱本体（ｂ２）の底面まで延ばされるので、箱全体の緩衝効果をさらに高め、品質の向上を図ることができる、という本考案独自の格別な効果を奏する。
【図面の簡単な説明】
【００１１】
【図１】本考案の第１の実施の形態における緩衝機能付き包装用箱の外部構成を示す正面側から見た斜視図
【図２】同包装用箱の内部構成を箱本体の正面を破断して示す正面側から見た斜視図
【図３】同包装用箱の底面の構成を示す底面図
【図４】同包装用箱を構成する紙基材の展開図
【図５】同包装用箱の折り畳まれた状態を示す底面側から見た図
【図６】同包装用箱の使用例を箱本体の正面を破断して示す正面側から見た斜視図
【図７】本考案の第２の実施の形態における緩衝機能付き包装用箱の外部構成を示す正面側から見た斜視図
【図８】同包装用箱の内部構成を箱本体の正面を破断して示す正面側から見た斜視図
【図９】同包装用箱の底面の構成を示す底面図
【図１０】同包装用箱を構成する紙基材の展開図
【図１１】同包装用箱の折り畳まれた状態を示す底面側から見た図
【図１２】同包装用箱の使用例を箱本体の正面を破断して示す正面側から見た斜視図
【考案を実施するための形態】
【００１２】
次に、この考案を実施するための形態について図を用いて説明する。なお、ここで緩衝機能付き包装用箱Ｂ１、Ｂ２（以下、単に包装用箱Ｂ１、Ｂ２又は箱Ｂ１、Ｂ２という。）は薬剤を収納するバイアルその他のガラス製のボトルなどを包装する箱として例示してある。
【００１３】
図１、図２及び図３に第１の実施の形態を示している。
図１、図２に示すように、包装用箱Ｂ１は、ボール紙、クラフト紙のような比較的厚さがあり直立性のある紙材により形成され、天面に蓋１５で開閉される開口を有し、複数のボトルを複数本単位（この場合、５本単位）で収容する箱本体ｂ１と、箱本体ｂ１内に一体に形成され、各ボトルを各別に縦置きに保持可能な複数本（この場合、５本）分の仕切り２６１−２６４を有するホルダーｈ１とを備え、複数のボトルを箱本体ｂ１内でホルダーｈ１の各仕切り２６１−２６４により保持して収容するようになっている。
【００１４】
この包装用箱Ｂ１は、図４に示すように、一枚のブランクシートから一体的に打ち抜かれて形成される一枚の紙基材Ｐ１からなり、この紙基材Ｐ１は箱本体ｂ１をなす箱形成形状部Ｐ１１とホルダーｈ１をなすホルダー形成形状部Ｐ１２とを備える。なお、図４には、紙基材Ｐ１の表面が現れている。
【００１５】
箱形成形状部Ｐ１１は、展開した状態において、
組み立て時に箱本体ｂ１の正面をなす正面板部１１と、
正面板部１１の左右側部に連続して設けられ、組み立て時に箱本体ｂ１の左右側面をなす一対の左右側面板部１２，１３と、
左側面板部１２の左側部に連続して設けられ、組み立て時に箱本体ｂ１の背面をなす背面板部１４と、
背面板部１４の左側部に設けられ、組み立て時に右側面板部１３の裏面に固定される接着部１４１と、
背面板部１４の上側部に連続して設けられ、組み立て時に箱本体ｂ１天面を開閉する蓋をなす蓋板部１５と、
正面板部１１の下側部に連続して設けられ、組み立て時に箱本体ｂ１の底面の略全面を封じる蓋をなす底面略全面蓋板部１６、及び底面略全面蓋板部１６の下側部に連続して設けられ、組み立て時に底面略全面蓋板部１６の裏側に重ねられて底面の略全面を封じる裏蓋をなす底面略全面裏蓋板部１７と、
背面板部１４の下側部に連続して設けられ、組み立て時に箱本体ｂ１の底面の略半面を封じる蓋をなす底面略半面蓋板部１８と、
左側面板部１２の上側部に連続して設けられ、組み立て時に箱本体ｂ１の左側上フラップをなす左側上フラップ板部１９と、
右側面板部１３の上側部に連続して設けられ、組み立て時に箱本体ｂ１の右側上フラップをなす右側上フラップ板部２０と、
左側面板部１２の下側部に連続して設けられ、組み立て時に箱本体ｂ１の左側下フラップをなす左側下フラップ板部２１と、
右側面板部１３の下側部に連続して設けられ、組み立て時に箱本体ｂ１の右側下フラップをなす右側下フラップ板部２２と、
左側下フラップ板部２１に設けられ、組み立て時に左側下フラップ板部２１及び底面略半面蓋板部１８を連結するための左側連結タブ２３と、
右側下フラップ板部２２に設けられ、組み立て時に右側下フラップ板部２２及び底面略全面蓋板部１６を連結するための右側連結タブ２４と、
を備える。
【００１６】
この場合、正面板部１１は、横長の矩形状に形成される。左側面板部１２は正面板部１１と同じ高さ寸法を有する縦長の矩形状に形成される。正面板部１１と左側面板部１２は境界線に折れ線Ｌ１が付けられてこの部分で折り曲げ可能である。右側面板部１３は左側面板部１２と略同じ大きさ、形状に形成される。正面板部１１と右側面板部１３は境界線に折れ線Ｌ２が付けられてこの部分で折り曲げ可能である。背面板部１４は正面板部１１と略同じ大きさ、形状に形成される。背面板部１４と左側面板部１２は境界線に折れ線Ｌ３が付けられてこの部分で折り曲げ可能である。また、背面板部１４の左側の部分には接着部１４１が設けられる。接着部１４１は背面板部１４に対して境界線に折れ線Ｌ４が付けられてこの部分で折り曲げ可能であり、この接着部１４１は各板部１１、１２、１３、１４が各境界線Ｌ１、Ｌ２、Ｌ３、Ｌ４で折り曲げられたときに右側面板部１３の裏面に当接し、この当接部分に接着剤により固定される。
【００１７】
蓋板部１５は、背面板部１４の上側部に連続して設けられ、箱本体１の天面開口を閉塞可能に、横方向が背面板部１４の横寸法と同じ寸法で、縦方向が左右の各側面板部１２、１３の横寸法と略同じ寸法の横長の矩形状に形成される。蓋板部１５と背面板部１４は境界線に折れ線Ｌ５を付けられてこの部分で折り曲げ可能である。また、蓋板部１５の上側部分にはこの蓋板部１５を正面板部１１の裏面上部に固定するための差し込み片１５１が設けられる。差し込み片１５１と蓋板部１５は境界線に折れ線Ｌ６を付けられてこの部分で折り曲げ可能である。
底面略全面蓋板部１６は箱本体ｂ１の底面の略全面を閉塞可能に、下方へ向けて少し幅狭の略台形形状に形成される。正面板部１１と底面略全面蓋板部１６は境界線に折れ線Ｌ７を付けられて（なお、この折れ線Ｌ７には切り込み線が間欠的に入れられて、）この部分で折り曲げ可能である。
底面略全面裏蓋板部１７は箱本体ｂ１の底面の略全面を閉塞可能に、底面略全面蓋板部１６の下側部に底面略全面蓋板部１６と略対称的に形成されて、下方へ向けて少し幅広の略台形形状に形成される。底面略全面蓋板部１６と底面略全面裏蓋板部１７は境界線に折れ線Ｌ８を付けられて（なお、この折れ線Ｌ８には切り込み線を間欠的に入れられて、）この部分で折り曲げ可能である。
底面略半面蓋板部１８は箱本体ｂ１の底面の略後側半面を閉塞可能に、下方へ向けて少し幅狭の台形形状に形成される。背面板部１４と底面略半面蓋板部１８は境界線に折れ線Ｌ９を付けられて（なお、この折れ線Ｌ９には切り込み線を間欠的に入れられて、）この部分で折り曲げ可能である。
【００１８】
左側上フラップ板部１９は箱本体ｂ１の天面開口の左側の一部を閉塞可能に、上方へ向けて少し幅狭の台形形状に形成される。左側上フラップ板部１９と左側面板部１２は境界線に折れ線Ｌ１０を付けられてこの部分で折り曲げ可能である。
右側上フラップ板部２０は箱本体ｂ１の天面開口の右側の一部を閉塞可能に、上方へ向けて少し幅狭の台形形状に形成される。右側上フラップ板部２０と右側面板部１３は境界線に折れ線Ｌ１１を付けられてこの部分で折り曲げ可能である。
左側下フラップ板部２１は箱本体ｂ１の底面開口の左側の一部を閉塞可能に、下方へ向けて幅狭の略三角形形状に形成される。左側下フラップ板部２１と左側面板部１２は境界線に折れ線Ｌ１２を付けられてこの部分で折り曲げ可能である。また、この左側下フラップ板部２１には左側の斜めの縁部に左側連結タブ２３が下方に向けて略四角形状に設けられる。
右側下フラップ板部２２は箱本体ｂ１の底面開口の右側の一部を閉塞可能に、下方へ向けて幅狭の略三角形形状に形成される。右側下フラップ板部２２と右側面板部１３は境界線に折れ線Ｌ１３を付けられてこの部分で折り曲げ可能である。また、この右側下フラップ部２２には左側の斜めの縁部に右側連結タブ２４が略四角形状に設けられる。
なお、左側連結タブ２３は底面略半面蓋板部１８に結合された状態で折れ線Ｌ１４（左側の斜めの縁部）の部分で折り曲げ可能であり、また、右側連結タブ２４は底面略全面蓋板部１６に結合された状態で折れ線Ｌ１５（左側の斜めの縁部）の部分で折り曲げ可能である。
【００１９】
箱形成形状部Ｐ１はこのようにして構成され、図１、図２及び図３に示すように、背面板部１４の左側部に設けられた接続部１４１が右側面板部１３の裏面に接着剤を介して結合され、右側下フラップ板部２２の右側連結タブ２４が底面略全面蓋板部１６の表面右端部に接着剤を介して結合されるとともに、左側下フラップ板部２１の左側連結タブ２３が底面略半面蓋板部１８の表面右端部に接着剤を介して結合されて、図５に示すように、底面略全面裏蓋板部１７が底面略全面蓋板部１６の裏側に折り畳まれて、底面略全面蓋板部１６は底面略全面裏蓋板部１７とともに正面板部１１の裏側に重なるように折り曲げられるとともに、右側下フラップ板部２２は右側面板部１３の裏側に重なるように折り曲げられ、かつ右側面板部１３は折り曲げられた底面略全面蓋部１６に重なるように折り曲げられ、底面略半面蓋板部１８は背面板部１４の裏側に重なるように折り曲げられるとともに、左側下フラップ板部２１は左側面板部１２の裏側に重なるように折り曲げられ、かつ左側面板部１２が折り曲げられた底面略半面蓋部１８に重なるように折り曲げられて、箱本体ｂ１は折り畳み構造体となす。
【００２０】
ホルダー形成形状部Ｐ１２は、展開した状態において、
底面略全面裏蓋板部１７の下側部１７１に連続して設けられ、
当該下側部１７１に正面板部１１の右端部又は左端部に対応する位置から収容するボトルの保持に必要な所定の間隔で複数の基準点Ｍ１を設定され、各基準点Ｍ１から当該下側部１７１に対して下方直角に延びる複数の縦方向折れ線Ｌ１６１−Ｌ１６４を有し、
各縦方向折れ線Ｌ１６１−Ｌ１６４の右側に、当該下側部１７１に対して横方向折れ線Ｌ１７１−Ｌ１７４（なお、これらの折れ線Ｌ１７１−Ｌ１７４は両端に切り残し部を有する切り込み線からなる。）を介して連続して形成され、組み立て時に正面板部１１の裏面下部側に接着される複数の下部支持板部２５１−２５４と、
各縦方向折れ線Ｌ１６１−Ｌ１６４の左側に、当該下側部１７１から当該下側部１７１上に沿って切られた切り込み線Ｃ１−Ｃ４により切り離されて左下斜めに延び、少なくとも上部を略四角形に形成されてその右上角から左下角に向けた一方の対角線上に折れ線Ｌ１８１−Ｌ１８４（なお、これらの折れ線Ｌ１８１−Ｌ１８４は両端に切り残し部を有する切り込み線からなる。）を付けられてこの対角線の上半部を傾動部２７１−２７４とし、組み立て時に背面板部１４の裏面上部側から正面板部１１の裏面下部側に斜めに架け渡される仕切りをなす複数の仕切り板部２６１−２６４と、
各仕切り板部２６１−２６４の左下端部の左側に折れ線Ｌ１９１−Ｌ１９４を介して形成されたつなぎ部２８１−２８４により接続され、各仕切り板部２６２−２６４の下部に各仕切り板部２６２−２６４の下部に沿って切られた切り込み線Ｃ５−Ｃ７により切り離されて形成され、組み立て時に背面板部１４の裏面上部側に接着される上部支持板部２９と、
を備える。
【００２１】
下部支持板部２５１−２５４は各縦方向折れ線Ｌ１６１−Ｌ１６４の右側に下方に向けて漸次幅狭の略台形形状に形成される。
各仕切り板部２６１−２６４のうち、左端の仕切り板部２６４を除く各仕切り板部２６１−２６３は、底面略全面裏蓋板部１７の下側部１７１に切られた各切り込み線Ｃ１−Ｃ３の左端から順次当該下側部１７１に対して下方直角方向の切り込み線Ｃ８、下方左斜めの切り込み線Ｃ９、左に隣る各縦方向折れ線Ｌ１６２−Ｌ１６４の下端部近傍を横切る水平方向の切り込み線Ｃ１０、下方左斜めの切り込み線Ｃ１１が形成され、各仕切り板部２６２−２６４の下部となる水平方向の切り込み線Ｃ５−Ｃ７につなげられて、底面略全面裏蓋板部１７側の上部が各縦方向折れ線Ｌ１６１−Ｌ１６３の左側で略四角形を呈し、上下方向中間部が各縦方向折れ線Ｌ１６１−Ｌ１６３の左側で漸次幅広の略台形を呈し、下部が右辺を各縦方向折れ線Ｌ１６１−Ｌ１６３に対して左側に少しずれた位置とし、つなぎ部２８１−２８３を含めて略平行四辺形を呈する、上から順に略四角形、略台形、略平行四辺形を合わせた複合形状に形成される。また、左端の仕切り板部２６４は、底面略全面裏蓋板部１７の下側部１７１に切られた各切り込み線Ｃ４の下部で縦方向折れ線Ｌ１６４の左側に、各仕切り板部２６１−２６３と同様の形状に形成される。
上部支持板部２９はつなぎ部２８１−２８３が各仕切り板部２６１−２６４の間に略台形に形成され、つなぎ部２８４が仕切り板部２６４の左側に略四角形に形成されて、各つなぎ部の２８１−２８４の下部が各仕切り板部２６１−２６４の下部で横長の略長方形に形成される。
【００２２】
ホルダー形成形状部Ｐ１２はこのようにして構成され、図２に示すように、下部支持板部２５１−２５４が箱本体ｂ１の正面板部１１の裏面下部に接着剤を介して接着され、上部支持板部２９が箱本体ｂ１の背面板部１４の裏面上部に接着剤を介して接着され、ホルダーｈ１は全体が平面的に折り畳まれて、図５に示す箱本体ｂ１の正面板部１１と折り曲げられた底面略全面裏蓋板１７との間に重ねられて、ホルダーｈ１は折り畳み構造体となす。
【００２３】
かくして包装用箱Ｂ１は、図５に示すように、箱本体ｂ１が折り畳み構造体となし、ホルダーｈ１が折り畳み構造体となし、この箱本体ｂ１及びホルダーｈ１の折り畳み構造体を左右側方から横方向中心へ向けて押圧するワンタッチ操作により、図２、図３に示すように、箱本体ｂ１が、ホルダーｈ１の各仕切り板部２６１−２６４の傾動部２７１−２７４により各仕切り板部２６１−２６４が底面全面蓋板部１６及び底面全面裏蓋板部１７の引き起こしに干渉することなしに、箱形に組み立てられ、箱本体ｂ１の内部で正面板部１１と背面板部１４との間に各仕切り板部２６１−２６４が垂直に引き起こされて、箱本体ｂ１内部に複数の、この場合、５つの容器収容部が区画形成される。また、箱本体ｂ１の底面は底面略全面蓋板部１６と底面略全面裏蓋板部１７とにより２重構造をなし、ホルダーｈ１の各仕切り板部２６１−２６４は下部が略四角形で箱本体ｂ１の底面まで延ばされる。
このように組み立てられた箱Ｂ１には、図６に示すように、薬剤を収納するバイアルその他のガラス製のボトルがこの箱本体ｂ１内の５つの容器収容部に縦置きにして収容され、箱本体ｂ１の蓋（蓋板部）１５を閉めて包装される。これにより、各ボトルはその底を箱本体ｂ１の２重底により保持され、その周囲を箱本体ｂ１の底面まで延びる各仕切り（各仕切り板部）２６１−２６４により保持されて、外部の衝撃から保護される。なお、この包装用箱Ｂ１は、蓋（蓋板部）１５を上方に引き上げることにより、箱本体ｂ１の天面開口を開放し、ボトルに入った薬剤を１本ずつ取り出すことができる。
【００２４】
以上説明したように、この包装用箱Ｂ１によれば、箱本体ｂ１とホルダーｈ１を一体型に形成して、ワンタッチで組み立てることができる。
また、この包装用箱Ｂ１では、特に、箱本体ｂ１が２重底で、箱本体ｂ１内部の各仕切り２６１−２６４が底面まで延ばされるので、箱本体ｂ１全体の緩衝効果を従来に比べて一層高めて、箱本体ｂ１内の各ボトルを保護することができ、箱Ｂ１の品質を大幅に向上させることができる。
さらに、この包装用箱Ｂ１では、箱本体ｂ１がホルダーｈ１とともに一枚のブランクシートから一体的に打ち抜かれて形成される一枚の紙基材Ｐ１から構成されるので、箱本体ｂ１及びホルダーｈ１の各部の組み立て及び接着を自動貼り機を用いて自動的に行うことができる。
【００２５】
図７、図８及び図９に第２の実施の形態を示している。
図７、図８及び図９に示すように、包装用箱Ｂ２は、ボール紙、クラフト紙のような比較的厚さがあり直立性のある紙材により形成され、天面に蓋３５で開閉される開口を有し、複数のボトルを複数本単位（この場合、５本単位）で収容する箱本体ｂ２と、箱本体ｂ２内に一体に形成され、各ボトルを各別に縦置きに保持可能な複数本（この場合、５本）分の仕切り５１５、５１６、５２５、５２６を有するホルダーｈ２とを備え、複数のボトルを箱本体ｂ２内でホルダーｈ２の各仕切り５１５、５１６、５２５、５２６により保持して収容するようになっている。
【００２６】
この包装用箱Ｂ２は、図１０に示すように、一枚のブランクシートから一体的に打ち抜かれて形成される一枚の紙基材Ｐ２からなり、この紙基材Ｐ２は箱本体ｂ２をなす箱形成形状部Ｐ２１とホルダーｈ２をなすホルダー形成形状部Ｐ２２とを備える。なお、図１０には、紙基材Ｐ２の表面が現れている。
【００２７】
箱形成形状部Ｐ２１は、展開した状態において、
組み立て時の箱本体ｂ２の正面をなす正面板部３１と、
正面板部３１の左右側部に連続して設けられ、組み立て時に箱本体ｂ２の左右側面をなす一対の左右側面板部３２、３３と、
左側面板部３２の左側部に連続して設けられ、組み立て時に箱本体ｂ２の背面をなす背面板部３４と、
背面板部３４の左側部に設けられ、組み立て時に右側面板部３３の裏面に固定される接着部３４１と、
背面板部３４の上側部に連続して設けられ、組み立て時に箱本体ｂ２の天面を開閉する蓋をなす蓋板部３５と、
正面板部３１の下側部に連続して設けられ、組み立て時に箱本体ｂ２の底面の略右側半面の略前側半部を封じる右側半部３６Ｒ、略左側半面全部を封じる左側半部３６Ｌからなり、右側半部３６Ｒと左側半部３６Ｌとの間に係止段部３６Ａを有する蓋をなす底面前側蓋板部３６、及び底面前側蓋板部３６の左側半部３６Ｌの下側部に連続して底面前側蓋板部３６の左側半部３６Ｌと略対称的に設けられ、組み立て時に底面前側蓋板部３６の左側半部３６Ｌの裏側に重ねられて箱本体ｂ２の底面の略左側半面全部を封じる裏蓋をなす底面前側裏蓋板部３７と、
背面板部３４の下側部に連続して設けられ、組み立て時に箱本体ｂ２の底面の略右側半面全部を封じる左側半部３８Ｌ、略左側半面の略後側半部を封じる右側半部３８Ｒからなり、右側半部３８Ｒと左側半部３８Ｌとの間に係止段部３８Ａを有する蓋をなす底面後側蓋板部３８、及び底面後側蓋板部３８の左側半部３８Ｌの下側部に連続し底面後側蓋板部３８の左側半部３８Ｌと略対称的に設けられ、組み立て時に底面後側蓋板部３８の左側半部３８Ｌの裏側に重ねられて箱本体ｂ２の底面の略右側半面全部を封じる裏蓋をなす底面後側裏蓋板部３８Ｓと、
左側面板部３２の上側部に連続して設けられ、組み立て時に箱本体ｂ２の左側上フラップをなす左側上フラップ板部３９と、
右側面板部３３の上側部に連続して設けられ、組み立て時に箱本体ｂ２の右側上フラップをなす右側上フラップ板部４０と、
左側面板部３２の下側部に連続して設けられ、組み立て時に箱本体ｂ２の左側下フラップをなす左側下フラップ板部４１と、
右側面板部３３の下側部に連続して設けられ、組み立て時に箱本体ｂ２の右側下フラップをなす右側下フラップ板部４２と、
底面前側蓋板部３６の右側半部３６Ｒの右端に設けられ、組み立て時に底面前側蓋板部３６及び右側下フラップ板部４２を連結する右側連結タブ４３と、
底面後側蓋板部３８の右側半部３８Ｒの右端に設けられ、組み立て時に底面後側蓋板部３８及び左側下フラップ板部４１を連結する右側連結タブ４４と、
を備える。
【００２８】
この場合、正面板部３１は、横長の矩形状に形成される。左側面板部３２は正面板部３１と同じ高さ寸法を有する縦長の矩形状に形成される。正面板部３１と左側面板部３２は境界線に折れ線Ｌ２１が付けられてこの部分で折り曲げ可能である。右側面板部３３は左側面板部３２と略同じ大きさ、形状に形成される。正面板部３１と右側面板部３３は境界線に折れ線Ｌ２２が付けられてこの部分で折り曲げ可能である。背面板部３４は正面板部３１と略同じ大きさ、形状に形成される。背面板部３４と左側面板部３２は境界線に折れ線Ｌ２３が付けられてこの部分で折り曲げ可能である。また、背面板部３４の左側の部分には接着部３４１が設けられる。接着部３４１は背面板部３４に対して境界線に折れ線Ｌ２４が付けられてこの部分で折り曲げ可能であり、この接着部３４１は各板部３１，３２，３３，３４が各境界線Ｌ２１、Ｌ２２、Ｌ２３、Ｌ２４で折り曲げられたときに右側面板部３３の裏面に当接し、この当接部分に接着剤により固定される。
【００２９】
蓋板部３５は、背面板部３４の上側部に連続して設けられ、箱本体ｂ２の天面開口を閉塞可能に、横方向が背面板部３４の横寸法と同じ寸法で、縦方向が左右の各側面板部３２、３３の横寸法と略同じ寸法の横長の矩形状に形成される。蓋板部３５と背面板部３４は境界線に折れ線Ｌ２５を付けられてこの部分で折り曲げ可能である。また、蓋板部３５の上側部分にはこの蓋板部３５を正面板部３１の裏面上部に固定するための差し込み片３５１が設けられる。差し込み片３５１は蓋板部３５に対して境界線に折れ線Ｌ２６が付けられてこの部分で折り曲げ可能である。
【００３０】
底面前側蓋板部３６は左側半部３６Ｌが、組み立て時の箱本体ｂ２の底面の略左半面全部を閉塞可能に、下方へ向けて少し幅狭の略台形形状に形成され、右側半部３６Ｒが箱本体ｂ２の底面の略右半面の前側半部を閉塞可能に、横長の略長方形に形成されその右端部が逆三角形状に少し突出される。正面板部３１と底面前側蓋板部３６は境界線に折れ線Ｌ２７を付けられて（なお、この折れ線Ｌ２７には切り込み線が間欠的に入れられて、）この部分で折り曲げ可能である。
底面後側蓋板部３８は左側半部３８Ｌが、組み立て時の箱本体ｂ２の底面の略右側半面全部を閉塞可能に、下方へ向けて少し幅狭の略台形形状に形成され、右側半部３８Ｒが、組み立て時の箱本体ｂ２の底面の略左半面の後側半部を閉塞可能に、横長の略長方形に形成されその右端部が逆三角形状に少し突出される。背面板部３４と底面後側蓋板部３８は境界線に折れ線Ｌ２８を付けられて（なお、この折れ線Ｌ２８には切り込み線が間欠的に入れられて、）この部分で折り曲げ可能である。
このようにして底面前側蓋板部３６、底面後側蓋板部３８は、組み立て時に、箱本体ｂ２の底面が略中央（仮想の前後方向略中央ライン）で前後に２分割された形状で、かつ底面の略中央（仮想の前後方向略中央ライン）で、底面前側蓋板部３６の左半部３６Ｌの縁部がその略中央（仮想の前後方向略中央ライン）から略台形状に突出する凸状部３６１と、右半部３６Ｒの縁部がその略中央（仮想の前後方向略中央ライン）に一致する凹状部３６２でその右端部が略中央（仮想の前後方向略中央ライン）から略三角形状に突出する凸状部３６３となし、底面後側蓋板部３８は左右が反転し、左半部３８Ｌが右半部となってこの右半部の縁部がその略中央（仮想の前後方向略中央ライン）から略台形状に突出する凸状部３８１と、右半部３８Ｒが左半部となってこの左半部の縁部がその略中央（仮想の前後方向略中央ライン）に一致する凹状部３８２でその左端部が略中央（仮想の前後方向略中央ライン）から略三角形状に突出する凸状部３８３となす。
底面前側裏蓋板部３７は、組み立て時の箱本体ｂ２の底面の略左半面全部を閉塞可能に、底面前側蓋板部３６の下側部に底面前側蓋板部３６と略対称的に形成され、下方へ向けて少し幅広の略台形形状に形成される。底面前側蓋板部３６と底面前側裏蓋板部３７は境界線に折れ線Ｌ２９を付けられて（なお、この折れ線Ｌ２９には切り込み線を間欠的に入れられて、）この部分で折り曲げ可能である。底面前側裏蓋板部３７は、組み立て時に、折れ線Ｌ２９で折り畳まれて、底面前側蓋板部３６の左半部３６Ｌに重ね合わされる。
底面後側裏蓋板部３８Ｓは、組み立て時の箱本体ｂ２の底面の略右左面全部を閉塞可能に、底面後側蓋板部３８の下側部に底面後側蓋板部３８と略対称的に形成され、下方へ向けて少し幅広の略台形形状に形成される。底面後側蓋板部３８と底面後側裏蓋板部３８Ｓは境界線に折れ線Ｌ３０を付けられて（なお、この折れ線Ｌ３０には切り込み線を間欠的に入れられて、）この部分で折り曲げ可能である。底面後側裏蓋板部３８Ｓは、組み立て時に左右が反転し、折れ線Ｌ３０で折り畳まれて、底面後側蓋板部３８の左半部３８Ｌに重ね合わされる。
【００３１】
左側上フラップ板部３９は箱本体ｂ２の天面開口の左側の一部を閉塞可能に、上方へ向けて少し幅狭の台形形状に形成される。左側上フラップ板部３９と左側面板部３２は境界線に折れ線Ｌ３１を付けられてこの部分で折り曲げ可能である。
右側上フラップ板部４０は箱本体ｂ２の天面開口の右側の一部を閉塞可能に、上方へ向けて少し幅狭の台形形状に形成される。右側上フラップ板部４０と右側面板部３３は境界線に折れ線Ｌ３２を付けられてこの部分で折り曲げ可能である。
左側下フラップ板部４１は箱本体ｂ２の底面開口の左側の一部を閉塞可能に、下方へ向けて幅狭の略台形形状に形成される。左側下フラップ板部４１と左側面板部３２は境界線に折れ線Ｌ３３を付けられてこの部分で折り曲げ可能である。
右側下フラップ板部４２は箱本体ｂ２の底面開口の右側の一部を閉塞可能に、下方へ向けて幅狭の略台形形状に形成される。右側下フラップ板部４２と右側面板部３３は境界線に折れ線Ｌ３４を付けられてこの部分で折り曲げ可能である。
底面前側蓋板部３６側の右側連結タブ４３は底面前側蓋板部３６の右端部の斜めの縁部に略三角形状に形成され、右側下フラップ板部４２に結合された状態で折れ線Ｌ３５（右端部の斜めの縁部）の部分で折り曲げ可能であり、また、底面後側蓋板部３８側の右側連結タブ４４は底面後側蓋板部３８の右端部の斜めの縁部に略三角形状に形成され、左側下フラップ板部４１に結合された状態で折れ線Ｌ３６（右側の斜めの縁部）の部分で折り曲げ可能である。
【００３２】
箱形成形状部Ｐ２１はこのようにして構成され、図７、図８及び図９に示すように、背面板部３４の左側部に設けられた接着部３４１が右側面板部３３の裏面に重ねられて接着剤を介して結合され、底面前側蓋板部３６の右側連結タブ４３が右側下フラップ部４２の表面に重ねられて接着剤を介して結合されるとともに、底面後側蓋板部３８の右側連結タブ４４が左側下フラップ板部４１の表面に重ねられて接着剤を介して結合され、図１１に示すように、底面前側裏蓋板部３７が底面前側蓋板部３６の裏側に折り畳まれて、底面前側蓋板部３６は底面前側裏蓋板部３７とともに正面板部３１の裏側に重なるように折り曲げられるとともに、右側下フラップ板部４２は右側面板部３３の裏側に重なるように折り曲げられ、かつ右側面板部３３は折り曲げられた底面前側蓋板部３６に重なるように折り曲げられ、底面後側裏蓋板部３８Ｓが底面後側蓋板部３８の裏側に折り畳まれて、底面後側蓋板部３８は底面後側裏蓋板部３８Ｓとともに背面板部３４の裏側に重なるように折り曲げられるとともに、左側下フラップ板部４１は左側面板部３２の裏側に重なるように折り曲げられ、かつ左側面板部３２は折り曲げられた底面後側蓋板部３８に重なるように折り曲げられて、箱本体ｂ２は折り畳み構造体となす。
【００３３】
ホルダー形成形状部Ｐ２２は、左側のホルダーｈ２−１をなす左側のホルダー形成形状部Ｐ２２−１と右側のホルダーｈ２−２をなす右側のホルダー形成形状部Ｐ２２−２とからなる。
左側のホルダー形成形状部Ｐ２２−１は、展開した状態において、
底面前側裏蓋板部３７の下側部３７１に連続して設けられ、
当該下側部３７１に正面板部３１の左端部に対応する位置から収容するボトルの保持に必要な所定の間隔で複数の基準点Ｍ２を設定され、各基準点Ｍ２から当該下側部３７１に対して下方直角に延びる複数の、この場合、２本の縦方向折れ線Ｌ３７１、Ｌ３７２  （なお、これらの折れ線Ｌ３７１、Ｌ３７２は両端及び中間に切り残し部を有する切り込み線が入れられて形成される。）を有し、
各縦方向折れ線Ｌ３７１、Ｌ３７２の右側に、当該下側部３７１に対して横方向折れ線Ｌ３８１、Ｌ３８２（なお、これらの折れ線Ｌ３８１、Ｌ３８２は両端に切り残し部を有する切り込み線が入れられて形成される。）を介して連続して形成され、組み立て時に正面板部３１の裏面下部側に接着される複数又は１つの、この場合、１つの下部支持板部５１２と、
各縦方向折れ線Ｌ３７１、Ｌ３７２の左側に、当該下側部３７１から当該下側部３７１上に沿って切られた切り込み線Ｃ１１、Ｃ１２により切り離されて左下斜めに延び、少なくとも上部を略四角形に形成されてその右上角から左下角に向けた一方の対角線上に折れ線Ｌ３９１、Ｌ３９２を付けられてこの対角線の上半部を傾動部５１３、５１４とし、組み立て時に背面板部３４の裏面上部側から正面板部３１の裏面下部側に斜めに架け渡される仕切りをなす複数の、この場合、２つの仕切り板部５１５、５１６と、
各仕切り板部５１５、５１６の左下端部の左側に折れ線Ｌ４０１、Ｌ４０２を介して形成されたつなぎ部５１７、５１８により接続され、仕切り板部５１６の下部に仕切り板部５１６の下部に沿って切られた切り込み線Ｃ１３により切り離されて形成され、組み立て時に背面板部３４の裏面上部側に接着される上部支持板部５１９と、
を備える。
右側のホルダー形成形状部Ｐ２２−２は、展開した状態において、
底面後側蓋板部３８Ｓの下側部３８Ｓ１に連続して設けられ、
当該下側部３８Ｓ１に背面板部３４の左端部に対応する位置から収容するボトルの保持に必要な所定の間隔で複数の基準点Ｍ２を設定され、各基準点Ｍ２から当該下側部３８Ｓ１に対して下方直角に延びる複数の縦方向折れ線Ｌ４１１、Ｌ４１２（なお、これらの折れ線Ｌ  ４１１、Ｌ４１２は両端及び中間に切り残し部を有する切り込み線が入れられて形成される。）を有し、
各縦方向折れ線Ｌ４１１、Ｌ４１２の右側に、当該下側部３８Ｓ１に対して横方向折れ線Ｌ４２１、Ｌ４２２（なお、これらの折れ線Ｌ４２１、Ｌ４２２は両端に切り残し部を有する切り込み線が入れられて形成される。）を介して連続して形成され、組み立て時に背面板部３４の裏面上部側に接着される複数又は１つの、この場合、１つの下部支持板部５２２と、
各縦方向折れ線Ｌ４１１、Ｌ４１２の左側に、当該下側部３８Ｓ１から当該下側部３８Ｓ１上に沿って切られた切り込み線Ｃ１４、Ｃ１５により切り離されて左下斜めに延び、少なくとも上部を略四角形に形成されてその右上角から左下角に向けた一方の対角線上に折れ線Ｌ４３１、Ｌ４３２を付けられてこの対角線の上半部を傾動部５２３、５２４とし、組み立て時に正面板部３１の裏面上部側から背面板部３４の裏面下部側に斜めに架け渡される仕切りをなす複数の仕切り板部５２５、５２６と、
各仕切り板部５２５、５２６の左下端部の左側に折れ線Ｌ４４１、Ｌ４４２を介して形成されたつなぎ部５２７、５２８により接続され、仕切り板部５２６の下部に仕切り板部５２６の下部に沿って切られた切り込み線Ｃ１６により切り離されて形成され、組み立て時に正面板部３１の裏面上部側に接着される上部支持板部５２９と、
を備える。
【００３４】
この場合、左側のホルダー形成形状部Ｐ２２−１側の下部支持板部５１１、５１２はそれぞれ、各縦方向折れ線Ｌ３７１、Ｌ３７２の右側に下方に向けて漸次幅狭の略台形形状に形成される。
各仕切り板部５１５、５１６のうち、一方の仕切り板部５１５は、底面前側裏蓋板部３７の下側部３７１に切られた切り込み線Ｃ１１の左端から順次当該下側部３７１に対して下方直角方向の切り込み線Ｃ１１１、下方左斜めの切り込み線Ｃ１１２、左に隣る縦方向折れ線Ｌ３７２の下端部近傍を横切る水平方向の切り込み線Ｃ１１３、下方左斜めの切り込み線Ｃ１１４が形成され、他方の仕切り板部５１６の下部となる水平方向の切り込み線Ｃ１３につながれて、底面前側裏蓋板部３７側の上部が縦方向折れ線Ｌ３７１の左側で略四角形を呈し、上下方向中間部が縦方向折れ線Ｌ３７１の左側で漸次幅広の略台形を呈し、下部が右辺を縦方向折れ線Ｌ３７１に対して左側に少しずれた位置とし、つなぎ部５１７を含めて略平行四辺形を呈する、略四角形、略台形、略平行四辺形を合わせた複合形状に形成される。また、他方の仕切り板部５１６は、底面前側裏蓋板部３７の下側部３７１に切られた切り込み線Ｃ１２の下部で縦方向折れ線Ｌ３７２の左側に、一方の仕切り板部５１５と同様の形状に形成される。
上部支持板部５１９はつなぎ部５１７が各仕切り板部５１５、５１６の間に略台形に形成され、つなぎ部５１８が仕切り板部５１６の左側に略四角形に形成されて、各つなぎ部の５１７、５１８の下部が他方の仕切り板部５１６の下部で横長の略長方形に形成される。
また、右側のホルダー形成形状部Ｐ２２−２側の下部支持板部５２１、５２２はそれぞれ、各縦方向折れ線Ｌ４１１、Ｌ４１２の右側に下方に向けて漸次幅狭の略台形形状に形成される。
各仕切り板部５２５、５２６のうち、一方の仕切り板部５２５は、底面後側裏蓋板部３８Ｓの下側部３８Ｓ１に切られた切り込み線Ｃ１４の左端から順次当該下側部３８Ｓ１に対して下方直角方向の切り込み線Ｃ１４１、下方左斜めの切り込み線Ｃ１４２、左に隣る縦方向折れ線Ｌ４１２の下端部近傍を横切る水平方向の切り込み線Ｃ１４３、下方左斜めの切り込み線Ｃ１４４が形成され、仕切り板部５２６の下部となる水平方向の切り取り線Ｃ１６につながれて、底面後側裏蓋板部３８Ｓ側の上部が縦方向折れ線Ｌ４１１の左側で略四角形を呈し、上下方向中間部が縦方向折れ線Ｌ４１１の左側で漸次幅広の略台形を呈し、下部が右辺を縦方向折れ線Ｌ４１１に対して左側に少しずれた位置とし、つなぎ部５２７を含めて略平行四辺形を呈する、略四角形、略台形、略平行四辺形を合わせた複合形状に形成される。また、他方の仕切り板部５２６は、底面前側裏蓋板部３８Ｓの下側部３８Ｓ１に切られた切り込み線Ｃ１５の下部で縦方向折れ線Ｌ４１２の左側に、一方の仕切り板部５２５と同様の形状に形成される。
上部支持板部５２９はつなぎ部５２７が各仕切り板部５２５、５２６の間に略台形に形成され、つなぎ部５２８が仕切り板部５２６の左側に略四角形に形成されて、各つなぎ部の５２７、５２８の下部が他方の仕切り板部５２６の下部で横長の略長方形に形成される。
【００３５】
ホルダー形成形状部Ｐ２２はこのようにして構成され、図８に示すように、ホルダーｈ２は、左側のホルダー形成形状部Ｐ２２−１側の下部支持板部５１２が組み立て時の箱本体ｂ２の正面板部３１の裏面左側下部に接着剤を介して接着されるとともに、上部支持板部５１９が組み立て時の箱本体ｂ２の背面板部３４の裏面左側上部に接着剤を介して接着され、右側のホルダー形成形状部Ｐ２２−２側の下部支持板部５２２が組み立て時の箱本体ｂ２の背面板部３４の裏面右側下部に接着剤を介して接着されるとともに、上部支持板部５２９が組み立て時の箱本体ｂ２の正面板部３１の裏面右側上部に接着剤を介して接着され、ホルダーｈ２は全体が平面的に折り畳まれて、底面前側裏蓋板部３７側の各下部支持板部５１１、５１２、各仕切り板部５１５、５１６、上部支持板部５１９が、図１１に示す箱本体ｂ２の正面板部３１と折り曲げられた底面前側裏蓋板部３７との間に重ねられ、底面後側裏蓋板部３８Ｓ側の各下部支持板部５２１、５２２、各仕切り板部５２５、５２６、上部支持板部５２９が、図１１に示す箱本体ｂ２の背面板部３４と折り曲げられた底面後側裏蓋板部３８Ｓとの間に重ねられて、ホルダーｈ２は折り畳み構造体となす。なお、このホルダーｈ２では、下部支持板部５１１が正面板部３１に接着されてもよいが、接着されていなくても、ホルダーｈ２としての機能は十分である。他面で、下部支持板部５１１が正面板部３１に接着されないことで、機械貼りの難度が下がり、好ましい。
【００３６】
かくして包装用箱Ｂ２は、図１１に示すように、箱本体ｂ２が折り畳み構造体となし、ホルダーｈ２が折り畳み構造体となし、この箱本体ｂ２及びホルダーｈ２の折り畳み構造体を左右側方から横方向中心へ向けて押圧するワンタッチ操作により、図８、図９に示すように、箱本体ｂ２がホルダーｈ２の各仕切り板部５１５、５１６、５２５、５２６の傾動部５１３、５１４、５２３、５２４により各仕切り板部５１５、５１６、５２５、５２６が底面前側蓋板部３６及び底面後側蓋板部３８の引き起こしに干渉することなしに箱形に組み立てられるとともに、箱本体ｂ２の内部で正面板部３１と背面板部３４との間に各仕切り板部５１５、５１６、５２５、５２６が垂直に引き起こされて、箱本体ｂ２内部に複数の、この場合、５つの容器収容部が区画形成される。なお、この場合、箱本体ｂ２の４側面を起こすと、図９に示すように、正面板部３１と右側面板部３３との間から底面前側蓋板部３６が一方の対角線上の折り畳み線を介して曲げ戻されるとともに、背面板部３４と左側面板部３２との間から底面後側蓋板部３８が一方の対角線上の折り畳み線を介して曲げ戻されて、底面前側蓋板部３６、底面後側蓋板部３８の対向する縁部が底面の中央で合わせられるとともに、底面前側蓋板部３６の縁部の凸状部３６１が底面後側蓋板部３８の縁部の凹状部３８２、凸状部３８３から底面後側蓋板部３８の左側に反転された右側半部３８Ｒの内側に差し込まれ、底面後側蓋板部３８の縁部の右側に反転された凸状部３８１が底面前側蓋板部３６の縁部の凹状部３６２、凸状部３６３から底面前側蓋板部３６の右側半部３６Ｒの内側に差し込まれた状態の略四角形状に戻されて底面が形成され、これが底面前側蓋板部３６、底面後側蓋板部３８双方の係止段部３６Ａ、３８Ａの係合により保持されて、箱ｂ２の底面開口が封じられる。そして、図８に示すように、箱本体ｂ２の底面は底面前側蓋板部３６と底面前側裏蓋板部３７とにより、底面後側蓋板部３８と底面後側裏蓋板部３８Ｓとにより、２重構造をなし、ホルダーｂ２の各仕切り板５１５、５１６、５２５、５２６は下部が略四角形で箱本体ｂ２の底面まで延ばされる。
このように組み立てられた箱Ｂ２には、図１２に示すように、薬剤を収納するバイアルその他のガラス製のボトルが箱本体ｂ２内部の５つの容器収容部に縦置きにして収容され、箱本体ｂ２の蓋（蓋板部３５）を閉めて包装される。これにより、各ボトルはその底を箱本体ｂ２の２重底により保持され、その周囲を箱本体ｂ２の底面まで延びる各仕切り５１５、５１６、５２５、５２６により保持されて、外部の衝撃から保護される。なお、この包装用箱Ｂ２は、蓋（蓋板部３５）を上方に引き上げることにより、箱本体ｂ２の天面開口が開放され、ボトルに入った薬剤を１本ずつ取り出すことができる。
【００３７】
以上説明したように、この包装用箱Ｂ２によれば、箱本体ｂ２とホルダーｈ２を一体型に形成し、ワンタッチで組み立てることができる。
また、この包装用箱Ｂ２では、特に、箱本体ｂ２が２重底で、箱本体ｂ２内部の各仕切り５１５、５１６、５２５、５２６が底面まで延ばされるので、箱本体ｂ２全体の緩衝効果を従来に比べて一層高めて、箱本体ｂ２内の各ボトルを保護することができ、箱Ｂ２の品質を大幅に向上させることができる。
【符号の説明】
【００３８】
Ｂ１  緩衝機能付き包装用箱
ｂ１  箱本体
ｈ１  ホルダー
Ｐ１  紙基材
Ｐ１１  箱形成形状部
Ｐ１２  ホルダー形成形状部
１１  正面板部
１２  左側面板部
１３  右側面板部
１４  背面板部
１４１  接着部
１５  蓋板部（蓋）
１５１  差し込み片
１６  底面略全面蓋板部（蓋）
１７  底面略全面裏蓋板部（蓋）
１７１  下側部
１８  底面略半面蓋板部（蓋）
１９  左側上フラップ板部
２０  右側上フラップ板部
２１  左側下フラップ板部
２２  右側下フラップ板部
２３  左側連結タブ
２４  右側連結タブ
２５１−２５４  下部支持板部
２６１−２６４  仕切り板部（仕切り）
２７１−２７４  傾動部
２８１−２８４  つなぎ部
２９  上部支持板部
Ｃ１−Ｃ４  切り込み線
Ｃ５−Ｃ７  切り込み線
Ｌ１−Ｌ１９４  折れ線
Ｂ２  緩衝機能付き包装用箱
ｂ２  箱本体
ｈ２  ホルダー
ｈ２−１  左側のホルダー
ｈ２−２  右側のホルダー
Ｐ２  紙基材
Ｐ２１  箱形成形状部
Ｐ２２  ホルダー形成形状部
Ｐ２２−１  左側のホルダー形成形状部
Ｐ２２−２  右側のホルダー形成形状部
３１  正面板部
３２  左側面板部
３３  右側面板部
３４  背面板部
３４１  接着部
３５  蓋板部（蓋）
３５１  差し込み片
３６  底面前側蓋板部（蓋）
３６Ｒ  右側半部
３６Ｌ  左側半部
３６Ａ  係止段部
３６１  凸状部
３６２  凹状部
３６３  凸状部
３７  底面前側裏蓋板部（蓋）
３７１  下側部
３８  底面後側蓋板部（蓋）
３８Ｒ  右側半部
３８Ｌ  左側半部
３８Ａ  係止段部
３８１  凸状部
３８２  凹状部
３８３  凸状部
３８Ｓ  底面後側裏蓋板部（蓋）
３８Ｓ１  下側部
３９  左側上フラップ板部
４０  右側上フラップ板部
４１  左側下フラップ板部
４２  右側下フラップ板部
４３  右側連結タブ
４４  右側連結タブ
５１１、５１２  下部支持板部
５１３、５１４  傾動部
５１５、５１６  仕切り板部（仕切り）
５１７、５１８  つなぎ部
５１９  上部支持板部
５２１、５２２  下部支持板部
５２３、５２４  傾動部
５２５、５２６  仕切り板部（仕切り）
５２７、５２８  つなぎ部
５２９  上部支持板部
Ｃ１１−Ｃ１３  切り込み線
Ｃ１１１−Ｃ１１４  切り込み線
Ｃ１４−Ｃ１６  切り込み線
Ｃ１４１−Ｃ１４４  切り込み線
Ｌ２１−Ｌ４４２  折れ線
【図１】
0003206282.tif 000003
【図２】
0003206282.tif 000004
【図３】
0003206282.tif 000005
【図４】
0003206282.tif 000006
【図５】
0003206282.tif 000007
【図６】
0003206282.tif 000008
【図７】
0003206282.tif 000009
【図８】
0003206282.tif 000010
【図９】
0003206282.tif 000011
【図１０】
0003206282.tif 000012
【図１１】
0003206282.tif 000013
【図１２】
0003206282.tif 000014